(57)【要約】【課題】  従来のスノーボード用ビンディングにおいては、ラチェットベルトの締付けに手間がかかる欠点があった。【解決手段】  本発明のスノーボード用ビンディングにおいては、バンドの先端部がバックルの空間内に入るのを阻止し、正しくガイドするためのガイド手段と、アンクルストラップ及びトウーストラップの一方及び他方のバンドをベースプレートに対して外方に常時開くよう付勢せしめる手段とを設ける。【選択図】  図２
2004223275.tif 000002
【特許請求の範囲】
【請求項１】
ベースプレートと、このベースプレートの一側にその一端を枢支した一方のバンドと、その一端を上記一方のバンドの先端に連結し、その他端にラチェットベルトを連結したバックルと、上記ベースプレートの他側にその一端を枢支し、その他端に上記ラチェットベルトと連結される連結部を有する他方のバンドと、上記バックルを開放した時に上記ラチェットベルトと上記一方のバンドとの間に生ずる空間部に上記他方のベルトの連結部の先端が入り込むのを防止するための手段とより成ることを特徴とするスノーボード用ビンディング。
【請求項２】
上記防止手段が、上記ラチェットベルトに形成した貫通孔と、上記一方のバンドの他端から伸び上記ラチェットベルトの貫通孔に挿通されるビームとより成ることを特徴とする請求項１記載のスノーボード用ビンディング。
【請求項３】
上記防止手段が、上記一方のバンドの他端に形成した、その幅が上記ラチェットベルトより大きく、上記他方のバンドの先端部の幅より狭い貫通孔より成ることを特徴とする請求項１記載のスノーボード用ビンディング。
【請求項４】
上記バンドが常時ベースプレートの外方に開くようその基部が湾曲されたバンドより成ることを特徴とする請求項１、２または３記載のスノーボード用ビンディング。
【請求項５】
上記バンドの上記基部に横溝が形成されていることを特徴とする請求項４記載のスノーボード用ビンディング。
【発明の詳細な説明】
【技術分野】
【０００１】
本発明はスノーボード用ビンディングに関するものである。
【背景技術】
【０００２】
図５は従来のスノーボード用ビンディングの側面図であって、１はスノーボード本体（図示せず）に固定されるベースプレート、２はブーツ、３はブーツ２の後面に対接されるよう上記ベースプレート１に連結されたハイバック、４は上記ベースプレート１に対し、上記ハイバック３を回動自在に枢支するための枢支部、５は上記ブーツ２の甲部を締め付けるため上記ベースプレート１に設けたアンクルストラップ、６はブーツ２のつま先を締め付けるため上記ベースプレート１に設けたトウーストラップ、７はハイバック３の背面に設けた、その下面が上記ベースプレート１の後方ヒールカップ１ａの後端上面に対接されるハイバック前傾調整部材を示す。
【０００３】
図６は、上記トウーストラップ６の詳細説明図であって、８ａはその一端を上記ベースプレート１の一側に固定した一方のバンド、８ｂは上記ベースプレート１の他側にその一端を固定した他方のバンド、９は上記一方のバンド８ａの遊端に連結したバックル、１０はこのバックル９に連結したラチェットベルト、１１は上記他方のバンド８ｂに上記ラチェットベルト１０を連結するために設けたラチェット爪を有するロック部を示す。
【０００４】
なお、アンクルストラップ５は、上記トウーストラップ６と同一の構成を有する。
【０００５】
このような従来のスノーボード用ビンディングにおいては、ベースプレート１にブーツ２を装着するとき、上記アンクルストラップ５及びトウーストラップ６のラチェットベルト１０とラチェット爪を有するロック部１１の係合を外し、一方及び他方のバンド８ａ，８ｂを両手で互いに分離した後、ブーツ２を上記ベースプレート１にその上方から乗せ、図８に示すようにラチェットベルト１０をラチェット爪を有するロック部１１に挿入し、バックル９を締めてブーツの甲及びつま先をベースプレート１に固定せしめている。
【発明の開示】
【発明が解決しようとする課題】
【０００６】
然しながら、上記従来のスノーボード用ビンディングにおいては、
【０００７】
（１）アンクルストラップ５又はトウーストラップ６のラチェットベルト１０をロック部１１に係合する際、本来図６に示すように他方のバンド８ｂの先端部１９が一方のバンド８ａの下側に入り込むべきものが、しばしば図７に示すように一方のバンド８ａの上側に入り込み、更に、バックル９を緩めたときに一方のバンド８ａとの間に生ずる空間２０に入り込んでしまい、上記バックル９を締めつけることができず、ラチェットベルトの装着に手間取り、また誤って上記先端部１９が上記空間２０に入り込んだ状態でバックルを締めつけた場合には、ビンディング使用中にバックル９が誤って開放する等の問題があり、ラチェットベルトの装着にはコツがいるという欠点があった。
【０００８】
（２）また、ベースプレート１上にその上方からブーツ２を載せる際、手で一方及び他方のバンド８ａ，８ｂを上記ベースプレートの外側に夫々開く必要がありその操作が煩わしかった。
【０００９】
本発明は上記の欠点を除くようにしたものである。
【課題を解決するための手段】
【００１０】
本発明のスノーボード用ビンディングは、ベースプレートと、このベースプレートの一側にその一端を枢支した一方のバンドと、その一端を上記一方のバンドの先端に連結し、その他端にラチェットベルトを連結したバックルと、上記ベースプレートの他側にその一端を枢支し、その他端に上記ラチェットベルトと連結される連結部を有する他方のバンドと、上記バックルを開放した時に上記ラチェットベルトと上記一方のバンドとの間に生ずる空間部に上記他方のベルトの連結部の先端が入り込むのを防止するための手段とより成ることを特徴とする。
【００１１】
上記防止手段は、上記ラチェットベルトに形成した貫通孔と、上記一方のバンドの他端から伸び上記ラチェットベルトの貫通孔に挿通されるビームとより成ることを特徴とする
【００１２】
上記防止手段は、上記一方のバンドの他端に形成した、その幅が上記ラチェットベルトより大きく、上記他方のバンドの先端部の幅より狭い貫通孔より成ることを特徴とする。
【００１３】
上記バンドは、常時ベースプレートの外方に開くようその一端部が湾曲されたバンドより成ることを特徴とする。
【００１４】
また、上記バンドの一端部に横溝が形成されていることを特徴とする。
【発明の効果】
【００１５】
上記のように、本発明のスノーボード用ビンディングにいおいては、ブーツの装着性を高めると共に安全性を高めることができる大きな利益がある。
【発明を実施するための最良の形態】
【００１６】
以下図面によって本発明の実施例を説明する。
【実施例１】
【００１７】
本発明のスノーボード用ビンディングにおいては、図１に示すように、他方のバンド８ｂの先端部１９が一方のバンド８ａとラチェットベルト１０との間の空間２０内に入るのを阻止し、正しくガイドするためのガイド手段Ａと、アンクルストラップ５及びトウーストラップ６の一方及び他方のバンド８ａ，８ｂの少くとも一方、例えばバンド８ａをベースプレート１に対して外方に常時開くよう付勢せしめる手段Ｂとを設ける。
【００１８】
上記ガイド手段Ａは、図２及び図３に示すように、アンクルストラップ５及びトウーストラップ６の一方のバンド８ａの先端に設けたＴ字状ビーム２２と、上記Ｔ字状ビーム２２の頭部２３を上記ラチェットベルト１０の下側から上側に貫通せしめるためラチェットベルト１０の基部側に設けた貫通孔２４とにより構成する。
【００１９】
上記ガイド手段Ａは上記のような構成であるから、ラチェットベルト１０をロック部１１に係合する際、他方のバンド８ｂの先端部１９は上記Ｔ字状ビーム２２に遮られて、バックル９を緩めたときに生ずる空間２０内に入り込むことがなく、常に上記先端部１９は一方のバンド８ａの下側にガイドされ、トウーストラップ等の装着に気を使ったり、コツを必要とせず素早い装着を可能ならしめることになる。
【実施例２】
【００２０】
図４は上記ガイド手段Ａの他の実施例を示し、この実施例においては一方のバンド８ａの先端部にその幅がラチェットベルト１０より大きく、上記他方のバンド８ｂの先端部の幅より狭い貫通孔２５を有する舌片２６を設け、この貫通孔２５内に上記ラチェットベルト１０を貫通せしめる。
【００２１】
この実施例においても、ラチェットベルト１０をロック部１１に係合する際、上記他方のバンド８ｂの先端部１９は舌片２６に遮られて上記空間２０内に入り込めず、常に上記先端部１９は一方のバンド８ａの下側にガイドされるようになる。
【００２２】
上記手段Ｂは、図２に示すように、その基部２７をベースプレート１の外方に向かうよう湾曲せしめた一方のバンド８ａにより構成せしめる。
【００２３】
上記手段Ｂは上記のような構成であるから、アンクルストラップ５及びトウーストラップ６のラチェットベルト１０とロック部１１の係合を外した状態では、一方のバンド８ａはベースプレート１の外方に常時開き、従って、手を使うことなくベースプレート１にその上方からブーツ２を載せることができる。同様の湾曲基部２７を他方のバンド８ｂの基部にも形成すればより好ましいことは勿論である。
【００２４】
なお、上記基部２７の外側面に横溝（図示せず）を付け、上記バンドをこの溝部分でベースプレート１の外方に開く方向に曲げるようにしてもよい。
【図面の簡単な説明】
【００２５】
【図１】本発明のスノーボード用ビンディングの斜視図である。
【図２】本発明のスノーボード用ビンディングのバンドガイド手段及び開放手段の説明用斜視図である。
【図３】本発明のスノーボード用ビンディングのガイド手段及び開放手段の説明用斜視図である。
【図４】本発明のスノーボード用ビンディングのガイド手段の他の実施例及び開放手段の説明用斜視図である。
【図５】従来のスノーボード用ビンディングの側面図である。
【図６】従来のスノーボード用ビンディングの正面図である。
【図７】従来のスノーボード用ビンディングの説明用正面図である。
【図８】従来のスノーボード用ビンディングの説明用正面図である。
【符号の説明】
【００２６】
１    ベースプレート
１ａ  ヒールカップ
２    ブーツ
３    ハイバック
４    枢支部
５    アンクルストラップ
６    トウーストラップ
７    前傾調整部材
８ａ  バンド
８ｂ  バンド
９    バックル
１０    ラチェットベルト
１１    ロック部
１９    先端部
２０    空間
２２    Ｔ字状ビーム
２３    頭部
２４    貫通孔
２５    貫通孔
２６    舌片
２７    基部
【図１】
2004223275.tif 000003
【図２】
2004223275.tif 000004
【図３】
2004223275.tif 000005
【図４】
2004223275.tif 000006
【図５】
2004223275.tif 000007
【図６】
2004223275.tif 000008
【図７】
2004223275.tif 000009
【図８】
2004223275.tif 000010